(57)【要約】【課題】ハードディスク固定装置である。【解決手段】複数のラグを備えるハードディスクトレイと、前記ハードディスクトレイの中に設けられて、ハードディスクの固定に用いる、ブラケット本体と、ブラケット本体に設けられた、それぞれ複数のラグと結合する複数のノッチと、ブラケット本体の両側に設けられた、ハードディスクブラケットとハードディスクトレイとの間に位置している凸柱と、を備えるハードディスクブラケットと、ハードディスクトレイに枢接されており、それぞれ、凸柱に接触して動かして、ハードディスクブラケットをノッチに沿ってハードディスクトレイに対して摺動させるようにするための曲面を有する２つの凸リブを備えるハードディスクカバーと、を具備するハードディスク固定装置。【選択図】図１
2015090725.tif 000002
【特許請求の範囲】
【請求項１】
複数のラグを備えるハードディスクトレイと、
前記ハードディスクトレイの中に設けられて、ハードディスクの固定に用いる、ブラケット本体と、前記ブラケット本体に設けられ、それぞれ前記複数のラグと結合する複数のノッチと、それぞれ前記ブラケット本体の両側に設けられ、前記ハードディスクブラケットと前記ハードディスクトレイとの間に位置している２つの凸柱と、を備えるハードディスクブラケットと、
前記ハードディスクトレイに枢接されており、それぞれ、前記凸柱に接触して動かして、前記ハードディスクブラケットを前記ノッチに沿って前記ハードディスクトレイに対して摺動させるようにするための曲面を有する２つの凸リブを備えるハードディスクカバーと、
を具備するハードディスク固定装置。
【請求項２】
前記ハードディスクトレイは、
地板と、
前記地板の対向する両側に直立している２つの側壁と、
前記地板に設けられた複数の支え壁と、を備え、前記複数のラグは、それぞれ前記支え壁に設けられ、それぞれ前記支え壁と前記側壁との間に位置している請求項１に記載のハードディスク固定装置。
【請求項３】
前記ブラケット本体は、第１セクションと、それぞれ前記第１セクションの両側から折れ曲がった２つの第２セクションと、を含み、前記ノッチ及び前記凸柱は、前記第２セクションに位置しており、前記ハードディスクブラケットは、前記第２セクションにおける前記第１セクションに近接する個所に設けられた、前記ハードディスクを前記ハードディスクブラケットの中に位置決めするための複数の位置決めピンを更に備える請求項１に記載のハードディスク固定装置。
【請求項４】
前記ハードディスクカバーを前記ハードディスクブラケットに固定するための、前記第１セクションに設けられた開口と、前記ハードディスクカバーに設けられた弾性ラッチと、を備える係合構造を更に具備し、前記弾性ラッチを前記開口に差し込むことによって前記ハードディスクカバーを固定する請求項３に記載のハードディスク固定装置。
【請求項５】
前記第１セクションは、凹部を含有し、前記開口は、前記凹部に設けられており、前記ハードディスクカバーは、前記凹部に対応する嵌合面を備え、前記弾性ラッチは、前記嵌合面に弾性的に接続されている請求項４に記載のハードディスク固定装置。
【発明の詳細な説明】
【技術分野】
【０００１】
本発明は、ハードディスク固定装置に関する。
【背景技術】
【０００２】
科学技術の進歩、及びコンピュータシステムへの依存度が高くなるにつれて、市場におけるコンピュータシステムの演算能力とデータ記憶能力に対する要求もそれに応じて高くなっている。しかし、事務室又は工場においてコンピュータと関連機器が占めるスペースを更に小さくすることが望まれているため、使用可能なスペースが日々狭くなっている。コンピュータ周辺機器のサーバを例にとると、サーバのサイズが更に小型化しているため、サーバにおけるハードウェア機器の空間的配置が制限されている。
【０００３】
使用者の所望のデータを提供し、データの記憶を効果的に行うために、サーバは、データアクセスサービスを提供するための、数多くのハードディスク及び他の記憶メディアを有しなければならない。サーバのマザーボード、上記の記憶メディア、他の内蔵型コンピュータ周辺機器は、何れも使用者の所望のサービスを効果的に提供するために、シャーシの中に据え付けられている。しかしながら、ハードディスクの組立を例にとると、最も簡単な方式はねじによるロックである。しかし、シャーシ内の空間が制限されるため、単にねじをロック素子とすると、取り外す際にねじ回し等の工具を用いる必要があり、取り外しにくい。
【発明の概要】
【発明が解決しようとする課題】
【０００４】
従って、ハードディスクの脱着時の、ねじ及び取り外し工具の使用を如何に減少するかが重要な課題となっている。
【課題を解決するための手段】
【０００５】
本発明は、ハードディスクの組立効率を向上させるために、工具を使用することなく組み立てられるハードディスク固定装置を提供するものである。
【０００６】
本発明の一態様は、複数のラグを備えるハードディスクトレイと、前記ハードディスクトレイの中に設けられて、ハードディスクの固定に用いる、ブラケット本体と、ブラケット本体に設けられた、それぞれ複数のラグと結合する複数のノッチと、ブラケット本体の両側に設けられた、ハードディスクブラケットとハードディスクトレイとの間に位置している凸柱と、を備えるハードディスクブラケットと、ハードディスクトレイに枢接されており、それぞれ、凸柱に接触して動かして、ハードディスクブラケットをノッチに沿ってハードディスクトレイに対して摺動させるようにするための曲面を有する２つの凸リブを備えるハードディスクカバーと、を具備するハードディスク固定装置を提供するものである。
【０００７】
本発明の１つ又は複数の実施例において、ハードディスクトレイは、地板と、地板の対向する両側に直立している２つの側壁と、地板に設けられた支え壁と、を備え、複数のラグは、それぞれ支え壁に設けられ、それぞれ支え壁と側壁との間に位置している。
【０００８】
本発明の１つ又は複数の実施例において、ブラケット本体は、第１セクションと、それぞれ第１セクションの両側から折れ曲がった２つの第２セクションと、を含み、ノッチ及び凸柱は、第２セクションに位置している。
【０００９】
本発明の１つ又は複数の実施例において、ハードディスクブラケットは、第２セクションにおける第１セクションに近接する個所に設けられた、ハードディスクをハードディスクブラケットの中に位置決めするための複数の位置決めピンを更に備える。
【００１０】
本発明の１つ又は複数の実施例において、ハードディスク固定装置は、ハードディスクカバーをハードディスクブラケットに固定するための係合構造を更に具備する。
【００１１】
本発明の１つ又は複数の実施例において、係合構造は、第１セクションに設けられた開口と、ハードディスクカバーに設けられた弾性ラッチと、を備え、弾性ラッチを開口に差し込むことによってハードディスクカバーを固定する。
【００１２】
本発明の１つ又は複数の実施例において、第１セクションは、凹部を含有し、開口は、凹部に設けられており、ハードディスクカバーは、凹部に対応する嵌合面を備え、弾性ラッチは、嵌合面に弾性的に接続されている。
【００１３】
本発明の１つ又は複数の実施例において、ハードディスク固定装置は、ハードディスクカバーとハードディスクトレイとを枢接するための、接続機構を更に具備する。
【００１４】
本発明の１つ又は複数の実施例において、凸リブは、曲面における接続機構に近接する一端に設けられた、凸柱を押し上げるための凸縁を含む。
【００１５】
本発明の１つ又は複数の実施例において、ハードディスク固定装置は、ハードディスクカバーの内表面に設けられた、接続機構に近接する複数のプッシュロッドを更に具備する。
【発明の効果】
【００１６】
本発明に係るハードディスク固定装置によれば、追加の組立工具を使用する必要がなく、ハードディスクトレイに枢接されたハードディスクカバーを開ける又は閉めるだけで、ハードディスクを露出させ又は位置決めすることができ、組立の効率及び利便性を効果的に向上させた、ねじなしでロック可能なハードディスク固定構造及び方法を提供することができる。
【図面の簡単な説明】
【００１７】
【図１】本発明のハードディスク固定装置の一実施例の分解図である。
【図２】図１におけるハードディスク固定装置の適用時の操作を示す模式図である。
【図３】本発明の一実施例におけるハードディスクブラケットの摺動時の一の段階の側面図を示す。
【図４】本発明の一実施例におけるハードディスクブラケットの摺動時の別の段階の側面図を示す。
【図５】本発明のハードディスク固定装置の弾性ラッチの断面模式図である。
【図６】本発明のハードディスク固定装置を開けた場合の別の視角からの側面図である。
【発明を実施するための形態】
【００１８】
以下、図面及び詳細な説明で本発明の精神を明らかに説明する。当業者であれば、本発明の好適な実施例を理解する上で、本発明の教示した技術によって、本発明の精神と範囲から逸脱せずに、変更や修正を加えることができる。
【００１９】
ハードディスクの脱着時の、ねじ及び取り外し工具の使用を減少するために、本発明は、ハードディスクを固定する過程において追加の工具を用いる必要がなく、ハードディスクの組立効率を向上させた、ねじなしでロックする方法を提供するハードディスク固定装置を提供する。
【００２０】
本発明のハードディスク固定装置の一実施例の分解図である図１を参照する。ハードディスク固定装置１００は、ハードディスクトレイ１１０と、ハードディスクブラケット１３０と、ハードディスクカバー１５０と、を具備するハードディスク２００を固定するためのものである。ハードディスクブラケット１３０は、ハードディスクトレイ１１０に配置され、ハードディスクカバー１５０は、ハードディスクトレイ１１０に枢接されている。ハードディスク２００は、ハードディスクブラケット１３０内に配置されることができる。ハードディスクカバー１５０がハードディスクトレイ１１０に対して回転する場合、ハードディスクブラケット１３０とその内のハードディスク２００をハードディスクカバー１５０とハードディスクトレイ１１０との間に固定することができる。
【００２１】
ハードディスクトレイ１１０は、地板１１２と、地板１１２の両側に直立している２つの側壁１１４と、地板１１２に設けられた２つの支え壁１１６と、を備える。支え壁１１６と側壁１１４との間に、ハードディスクブラケット１３０を配置するための収納空間がそれぞれ形成されている。ハードディスクトレイ１１０は、側壁１１４に向かって突出するように支え壁１１６に設けられた、複数のラグ１２０を更に備える。
【００２２】
ハードディスクブラケット１３０は、ハードディスクトレイ１１０の中に配置されており、略「匚」（コ）字形の構造となっている。ハードディスクブラケット１３０は、ブラケット本体１３２と、ブラケット本体１３２に設けられた複数のノッチ１３４と、ブラケット本体１３２に設けられた２つの凸柱１３６と、を備える。
【００２３】
ブラケット本体１３２は、第１セクション１４０と、それぞれ第１セクション１４０の両側から折れ曲がった２つの第２セクション１４２と、を含む。第１セクション１４０及び２つの第２セクション１４２は、共に「匚」（コ）字形の構造を構成している。ブラケット本体１３２は、板金部材を折り畳むことで作製してもよい。
【００２４】
ノッチ１３４は、第２セクション１４２に設けられた細長い開口であり、その軸方向がハードディスクトレイ１１０の地板１１２にほぼ平行である。ハードディスクブラケット１３０を組み立てる場合、ノッチ１３４は、ハードディスクトレイ１１０上のラグ１２０と結合して、ハードディスクブラケット１３０をハードディスクトレイ１１０に位置決めするようにする。
【００２５】
凸柱１３６は、円柱形状であってよく、２つの凸柱１３６が、それぞれ２つの第２セクション１４２に設けられている。凸柱１３６は、第２セクション１４２の外表面に設けられている。ハードディスクブラケット１３０をハードディスクトレイ１１０に設けると、凸柱１３６は、側壁１１４に向かうように、側壁１１４と支え壁１１６との間の収納空間の中に位置する。
【００２６】
ハードディスクカバー１５０は、フレーム形状の構造をしており、接続機構によってハードディスクトレイ１１０に枢接されてよい。例としては、接続機構は、ハードディスクトレイ１１０の側壁１１４に設けられた回転軸部１６０、及びハードディスクカバー１５０に設けられた開口部１６２を含み、回転軸部１６０が開口部１６２の中で回転することによって、ハードディスクカバー１５０をハードディスクトレイ１１０に枢接する目的を実現することができる。回転軸部１６０は、開口部１６２から容易に離れないように、その一端の外径が開口部１６２の内径より大きいことが好ましい。
【００２７】
ハードディスクカバー１５０は、それぞれハードディスクカバー１５０の対向する２つの側縁に設けられた２つの凸リブ１５２を備える。凸リブ１５２は、凸柱１３６に対応する位置に設けられており、それぞれ、凸柱１３６に接触して動かして、ハードディスクブラケット１３０をノッチ１３４に沿ってハードディスクトレイ１１０に対して摺動させるようにするための曲面１５４を有する。
【００２８】
図１におけるハードディスク固定装置１００の適用時の操作を示す模式図である図２を参照する。注意すべきなのは、図１において、複数のハードディスクトレイ１１０のそれぞれには、何れも前後に設けられたハードディスク２００が配置されているが、以下の図面において、説明を容易にするために、単に単一のハードディスク２００の固定構造で例示して説明する。当業者であれば、異なる設計需要に応じて、ハードディスク固定装置１００におけるハードディスクトレイ１１０及びハードディスク２００の数量関係、ハードディスク２００の配列構造を変更することができるが、本発明は実施例に限定されない。
【００２９】
ハードディスク固定装置１００は、ハードディスクトレイ１１０と、ハードディスクトレイ１１０に設けられたハードディスクブラケット１３０と、ハードディスクトレイ１１０に枢接されているハードディスクカバー１５０と、を具備する。ハードディスクブラケット１３０は、ハードディスクトレイ１１０とハードディスクカバー１５０との間に位置している。
【００３０】
ハードディスク２００を組み立てようとする場合、先にハードディスクカバー１５０を開け、ハードディスクブラケット１３０を露出させた後、ハードディスク２００をハードディスクブラケット１３０の中に入れ、次に、ハードディスクカバー１５０を下へ押して、ハードディスクカバー１５０上の凸リブ１５２をハードディスクブラケット１３０上の凸柱１３６（図１参照）に接触させて、ハードディスクブラケット１３０とその内のハードディスク２００を動かして、ハードディスクトレイ１１０に対して位置決めされるまで摺動させる。
【００３１】
次に、それぞれ本発明の一実施例におけるハードディスクブラケット１３０の摺動時の異なる段階の側面図を示す図３及び図４を参照されたい。なお、図３及び図４において、説明を容易にするために、ハードディスクトレイ１１０の支え壁及び側壁は隠れている。まず、図３を図１に合わせて参照する。ハードディスク２００がハードディスクブラケット１３０に配置された後、ハードディスクカバー１５０は、続いて、ハードディスクトレイ１１０に対して枢転するように下へ押され、本実施例の場合には、図面における反時計回りの方向に沿って回転する。ハードディスクカバー１５０がプリセットされた位置まで移動すると、凸リブ１５２は、支え壁１１６と側壁１１４（図１参照）との間の空間に伸びて、ハードディスクブラケット１３０の外表面上の凸柱１３６に接触する。
【００３２】
その後、ハードディスクカバー１５０が続けて下へ押され、凸リブ１５２が連動されて下へ移動する。この場合、凸リブ１５２上の曲面１５４によって、凸リブ１５２に接触する凸柱１３６が、曲面１５４に沿って移動するようになり、例えば、図面における右方へ移動し、更にハードディスクブラケット１３０及びハードディスクブラケット１３０内に位置しているハードディスク２００が連動されて、ハードディスクカバー１５０が下へ押されると同時に右へ移動するようになる。
【００３３】
ハードディスクブラケット１３０とその内に位置しているハードディスク２００は、ノッチ１３４に沿ってハードディスクトレイ１１０に対して移動する。ハードディスクブラケット１３０が移動する場合、ノッチ１３４とラグ１２０との間の相対位置も、これに伴って変化する。例えば、ラグ１２０は、ハードディスクブラケット１３０を位置決めしやすくするために、ノッチ１３４の一端から他端まで移動する。
【００３４】
次に、引き続き、図３及び図４を参照する。ハードディスク２００は、コネクタ（ｃｏｎｎｅｃｔｏｒ）によって他の周辺の電子素子と電気的に接続されることができる。本実施例において、ハードディスクトレイ１１０に第１コネクタ１９０が配置されており、ハードディスク２００にも、対応する第２コネクタ２１０がある。ハードディスクブラケット１３０がその内のハードディスク２００を連動して、位置決めするまで右へ移動させた場合、ハードディスク２００上の第２コネクタ２１０も、ハードディスクトレイ１１０上の第１コネクタ１９０と係合する。
【００３５】
再度、図１を参照すると、ハードディスクブラケット１３０においては、ハードディスク２００上の第２コネクタ２１０とハードディスクトレイ１１０上の第１コネクタ１９０とが、接触時の跳ね返る力によって係合に失敗することなく、スムーズに係合することを可能にするために、２つの位置決めピン１３８を更に備える。位置決めピン１３８は、それぞれ第２セクション１４２における第１セクション１４０に近接する個所に設けられ、ハードディスク２００をハードディスクブラケット１３０の中に位置決めするために用いられる。
【００３６】
より具体的には、位置決めピン１３８は、第２コネクタ２１０と第１コネクタ１９０との係合時に、ハードディスク２００を支えて、ハードディスク２００が力を受けて後退しないようにし、更に第２コネクタ２１０が第１コネクタ１９０とスムーズに係合できるように確保することに用いることができる。
【００３７】
引き続き、図１を参照する。ハードディスク固定装置１００においては、ハードディスクカバー１５０をハードディスクブラケット１３０に固定させて、ハードディスクブラケット１３０におけるハードディスク２００を確実に固定する目的を達することができるようにするために、ハードディスクカバー１５０をハードディスクブラケット１３０に固定するための係合構造を更に具備する。係合構造は、ハードディスクブラケット１３０の第１セクション１４０に設けられた開口１７０と、ハードディスクカバー１５０に設けられた弾性ラッチ１７２と、を備える。ハードディスクカバー１５０が位置決めするまで回転してハードディスクブラケット１３０に接触した場合、使用者により、弾性ラッチ１７２を引き開けて、開口１７０に差し込んで、更にハードディスクカバー１５０をハードディスクブラケット１３０に固定してもよい。
【００３８】
より具体的には、第１セクション１４０は、凹部１４４を含有し、開口１７０は、凹部１４４に設けられている。ハードディスクカバー１５０は、凹部１４４に対応する嵌合面１５６を備え、弾性ラッチ１７２は、嵌合面１５６に弾性的に接続されている。
【００３９】
図５を図１に合わせて参照されたい。図５は、本発明のハードディスク固定装置１００の弾性ラッチ１７２での断面模式図である。弾性ラッチ１７２は、ラッチ部１７３、及びラッチ部１７３とハードディスクカバー１５０を接続するばね１７４を含む。ハードディスクカバー１５０が位置決めするまで移動した後、使用者により、ラッチ部１７３を引っ張って、外へ移動させて、ハードディスクカバー１５０の嵌合面１５６をハードディスクブラケット１３０の凹部１４４と嵌合させた後、更にラッチ部１７３を放して、ばね１７４による弾力で引っ込めさせて開口１７０と係合させてよい。このように、ハードディスクカバー１５０をハードディスクブラケット１３０に固定することができる。
【００４０】
ハードディスク２００を取り出しようとする場合、上記のステップを逆にして操作するだけでよい。再びラッチ部１７３を引き出して、開口１７０から離れさせ、次に、更にハードディスクカバー１５０を図面における時計回り方向に沿って回転させると、ハードディスクカバー１５０が開けられ、これにより、ハードディスクカバー１５０とハードディスクトレイ１１０との間に位置しているハードディスク２００を取り出すことができる。
【００４１】
しかしながら、使用者がハードディスク２００を取り出しやすくするために、ハードディスク２００を取り出す前に、ハードディスク２００の第２コネクタ２１０とハードディスクトレイ１１０上の第１コネクタ１９０との接続状態を解除する必要がある。従って、ハードディスク固定装置１００には、第１コネクタ１９０と第２コネクタ２１０との接続状態を解除し、ハードディスクブラケット１３０を押し出すための設計を更に含む。
【００４２】
続けて、図１を参照されたい。ハードディスクカバー１５０の凸リブ１５２は、凸縁１５５を含む。凸縁１５５は、曲面１５４におけるハードディスクカバー１５０とハードディスクトレイ１１０が枢接する個所（即ち、接続機構）に近接する一端に設けられている。ハードディスクカバー１５０が回転して開けられる場合、凸縁１５５は、凸柱１３６に接触し、ハードディスクカバー１５０の回転につれて、続けて凸柱１３６を押し上げることで、ハードディスク２００及びハードディスクブラケット１３０を外へ少しだけ押し上げて、更に第１コネクタ１９０と第２コネクタ２１０との間の接続状態を解除することができる。
【００４３】
図１と図６をともに参照されたい。図６は、本発明のハードディスク固定装置１００が開けられた場合の別の視角からの側面図である。同様に、図６において、ハードディスクトレイ１１０の支え壁及び側壁も隠れている。ラッチ部１７３は、先に引き開けられて、開口１７０から離れ、次に、更にハードディスクカバー１５０を図面における反時計回り方向に沿って回転させると、ハードディスクカバー１５０が開けられ、これにより、ハードディスクカバー１５０とハードディスクトレイ１１０との間に位置しているハードディスク２００を取り出すことができる。
【００４４】
使用者がハードディスク２００を更に取り出しやすくするために、ハードディスク固定装置１００には、ハードディスクカバー１５０の内表面に設けられた、ハードディスクカバー１５０とハードディスクトレイ１１０が枢接する個所（即ち、接続機構）に近接する複数のプッシュロッド１８０を更に具備する。プッシュロッド１８０は、ハードディスクカバー１５０を動かすと同時に、ハードディスク２００及びハードディスクブラケット１３０を更に動かして、ハードディスクブラケット１３０とその内のハードディスク２００を再びノッチ１３４の方向に沿ってハードディスクトレイ１１０に対して摺動させて、枢接する個所から離間させて、使用者がハードディスクカバー１５０を開けた後、ハードディスクブラケット１３０におけるハードディスク２００を取り出しやすくすることができる。
【００４５】
上記をまとめると、本発明に係るハードディスク固定装置により、追加の組立工具を使用する必要がなく、ハードディスクトレイに枢接されたハードディスクカバーを開ける又は閉めるだけで、ハードディスクを露出させ又は位置決めすることができ、組立の効率及び利便性を効果的に向上させた、ねじなしでロック可能なハードディスクの固定構造及び方法を提供することができる。
【００４６】
本発明を実施例で前述の通り開示したが、これは本発明を限定するものではなく、当業者であれば、本発明の精神と範囲から逸脱しない限り、多様の変更や修正を加えることができる。従って、本発明の保護範囲は、特許請求の範囲で指定した内容を基準とする。
【符号の説明】
【００４７】
１００  ハードディスク固定装置
１１０  ハードディスクトレイ
１１２  地板
１１４  側壁
１１６  支え壁
１２０  ラグ
１３０  ハードディスクブラケット
１３２  ブラケット本体
１３４  ノッチ
１３６  凸柱
１３８  位置決めピン
１４０  第１セクション
１４２  第２セクション
１４４  凹部
１５０  ハードディスクカバー
１５２  凸リブ
１５４  曲面
１５５  凸縁
１５６  嵌合面
１６０  回転軸部
１６２  開口部
１７０  開口
１７２  弾性ラッチ
１７３  ラッチ部
１７４  ばね
１８０  プッシュロッド
１９０  第１コネクタ
２００  ハードディスク
２１０  第２コネクタ
【図１】
2015090725.tif 000003
【図２】
2015090725.tif 000004
【図３】
2015090725.tif 000005
【図４】
2015090725.tif 000006
【図５】
2015090725.tif 000007
【図６】
2015090725.tif 000008
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
複数の凸塊を備えるハードディスクトレイと、
ハードディスクブラケットであって、前記ハードディスクトレイの中に設けられて、ハードディスクの固定に用いる、ブラケット本体と、前記ブラケット本体に設けられ、それぞれ前記複数の凸塊と結合する複数の開口部と、それぞれ前記ブラケット本体の両側に設けられ、前記ハードディスクブラケットと前記ハードディスクトレイとの間に位置している２つの凸柱と、を備える前記ハードディスクブラケットと、
前記ハードディスクトレイに枢接されており、それぞれ、前記凸柱に接触して動かして、前記ハードディスクブラケットを前記開口部に沿って前記ハードディスクトレイに対して摺動させるようにするための曲面を有する２つの凸リブを備えるハードディスクカバーと、
前記ハードディスクカバーを前記ハードディスクトレイに枢接する接続機構と、
前記ハードディスクカバーの内表面に前記接続機構に近接して設けられ、前記ハードディスクブラケットを前記ハードディスクトレイに対して押し出して前記ハードディスクトレイとの接続から解除する複数のプッシュロッドと、
を具備するハードディスク固定装置。
【請求項２】
前記ハードディスクトレイは、
地板と、
前記地板の対向する両側に直立している２つの側壁と、
前記地板に設けられた複数の支え壁と、を備え、前記複数の凸塊は、それぞれ前記支え壁に設けられ、それぞれ前記支え壁と前記側壁との間に位置している請求項１に記載のハードディスク固定装置。
【請求項３】
前記ブラケット本体は、第１セクションと、それぞれ前記第１セクションの両側から折れ曲がった２つの第２セクションと、を含み、前記開口部及び前記凸柱は、前記第２セクションに位置しており、前記ハードディスクブラケットは、前記第２セクションにおける前記第１セクションに近接する個所に設けられた、前記ハードディスクを前記ハードディスクブラケットの中に位置決めするための複数の位置決めピンを更に備える請求項１に記載のハードディスク固定装置。
【請求項４】
前記ハードディスクカバーを前記ハードディスクブラケットに固定するための、前記第１セクションに設けられた開口と、前記ハードディスクカバーに設けられた弾性ラッチと、を備える係合構造を更に具備し、前記弾性ラッチを前記開口に差し込むことによって前記ハードディスクカバーを固定する請求項３に記載のハードディスク固定装置。
【請求項５】
前記第１セクションは、凹部を含有し、前記開口は、前記凹部に設けられており、前記ハードディスクカバーは、前記凹部に対応する嵌合面を備え、前記弾性ラッチは、前記嵌合面に弾性的に接続されている請求項４に記載のハードディスク固定装置。
【手続補正２】
【補正対象書類名】明細書
【補正対象項目名】全文
【補正方法】変更
【補正の内容】
【発明の詳細な説明】
【技術分野】
【０００１】
本発明は、ハードディスク固定装置に関する。
【背景技術】
【０００２】
科学技術の進歩、及びコンピュータシステムへの依存度が高くなるにつれて、市場におけるコンピュータシステムの演算能力とデータ記憶能力に対する要求もそれに応じて高くなっている。しかし、事務室又は工場においてコンピュータと関連機器が占めるスペースを更に小さくすることが望まれているため、使用可能なスペースが日々狭くなっている。コンピュータ周辺機器のサーバを例にとると、サーバのサイズが更に小型化しているため、サーバにおけるハードウェア機器の空間的配置が制限されている。
【０００３】
使用者の所望のデータを提供し、データの記憶を効果的に行うために、サーバは、データアクセスサービスを提供するための、数多くのハードディスク及び他の記憶メディアを有しなければならない。サーバのマザーボード、上記の記憶メディア、他の内蔵型コンピュータ周辺機器は、何れも使用者の所望のサービスを効果的に提供するために、シャーシの中に据え付けられている。しかしながら、ハードディスクの組立を例にとると、最も簡単な方式はねじによるロックである（例えば、非特許文献１参照）。しかし、シャーシ内の空間が制限されるため、単にねじをロック素子とすると、取り外す際にねじ回し等の工具を用いる必要があり、取り外しにくい。
【先行技術文献】
【非特許文献】
【０００４】
【非特許文献１】Oracle,「Maintaining the Sun Fire X4500 and X4540 Servers」、インターネット〈URL：https://docs.oracle.com/cd/E19469-01/819-4359-19/CH3-maint.html〉
【発明の概要】
【発明が解決しようとする課題】
【０００５】
従って、ハードディスクの脱着時の、ねじ及び取り外し工具の使用を如何に減少するかが重要な課題となっている。
【課題を解決するための手段】
【０００６】
本発明は、ハードディスクの組立効率を向上させるために、工具を使用することなく組み立てられるハードディスク固定装置を提供するものである。
【０００７】
本発明の一態様は、複数のラグ（凸塊）を備えるハードディスクトレイと、前記ハードディスクトレイの中に設けられて、ハードディスクの固定に用いる、ブラケット本体と、ブラケット本体に設けられた、それぞれ複数のラグ（凸塊）と結合する複数のノッチ（開口部）と、ブラケット本体の両側に設けられた、ハードディスクブラケットとハードディスクトレイとの間に位置している凸柱と、を備えるハードディスクブラケットと、ハードディスクトレイに枢接されており、それぞれ、凸柱に接触して動かして、ハードディスクブラケットをノッチ（開口部）に沿ってハードディスクトレイに対して摺動させるようにするための曲面を有する２つの凸リブを備えるハードディスクカバーと、を具備するハードディスク固定装置を提供するものである。
【０００８】
本発明の１つ又は複数の実施例において、ハードディスクトレイは、地板と、地板の対向する両側に直立している２つの側壁と、地板に設けられた支え壁と、を備え、複数のラグ（凸塊）は、それぞれ支え壁に設けられ、それぞれ支え壁と側壁との間に位置している。
【０００９】
本発明の１つ又は複数の実施例において、ブラケット本体は、第１セクションと、それぞれ第１セクションの両側から折れ曲がった２つの第２セクションと、を含み、ノッチ（開口部）及び凸柱は、第２セクションに位置している。
【００１０】
本発明の１つ又は複数の実施例において、ハードディスクブラケットは、第２セクションにおける第１セクションに近接する個所に設けられた、ハードディスクをハードディスクブラケットの中に位置決めするための複数の位置決めピンを更に備える。
【００１１】
本発明の１つ又は複数の実施例において、ハードディスク固定装置は、ハードディスクカバーをハードディスクブラケットに固定するための係合構造を更に具備する。
【００１２】
本発明の１つ又は複数の実施例において、係合構造は、第１セクションに設けられた開口と、ハードディスクカバーに設けられた弾性ラッチと、を備え、弾性ラッチを開口に差し込むことによってハードディスクカバーを固定する。
【００１３】
本発明の１つ又は複数の実施例において、第１セクションは、凹部を含有し、開口は、凹部に設けられており、ハードディスクカバーは、凹部に対応する嵌合面を備え、弾性ラッチは、嵌合面に弾性的に接続されている。
【００１４】
本発明の１つ又は複数の実施例において、ハードディスク固定装置は、ハードディスクカバーとハードディスクトレイとを枢接するための、接続機構を更に具備する。
【００１５】
本発明の１つ又は複数の実施例において、凸リブは、曲面における接続機構に近接する一端に設けられた、凸柱を押し上げるための凸縁を含む。
【００１６】
本発明の１つ又は複数の実施例において、ハードディスク固定装置は、ハードディスクカバーの内表面に設けられた、接続機構に近接する複数のプッシュロッドを更に具備する。
【発明の効果】
【００１７】
本発明に係るハードディスク固定装置によれば、追加の組立工具を使用する必要がなく、ハードディスクトレイに枢接されたハードディスクカバーを開ける又は閉めるだけで、ハードディスクを露出させ又は位置決めすることができ、組立の効率及び利便性を効果的に向上させた、ねじなしでロック可能なハードディスク固定構造及び方法を提供することができる。
【図面の簡単な説明】
【００１８】
【図１】本発明のハードディスク固定装置の一実施例の分解図である。
【図２】図１におけるハードディスク固定装置の適用時の操作を示す模式図である。
【図３】本発明の一実施例におけるハードディスクブラケットの摺動時の一の段階の側面図を示す。
【図４】本発明の一実施例におけるハードディスクブラケットの摺動時の別の段階の側面図を示す。
【図５】本発明のハードディスク固定装置の弾性ラッチの断面模式図である。
【図６】本発明のハードディスク固定装置を開けた場合の別の視角からの側面図である。
【発明を実施するための形態】
【００１９】
以下、図面及び詳細な説明で本発明の精神を明らかに説明する。当業者であれば、本発明の好適な実施例を理解する上で、本発明の教示した技術によって、本発明の精神と範囲から逸脱せずに、変更や修正を加えることができる。
【００２０】
ハードディスクの脱着時の、ねじ及び取り外し工具の使用を減少するために、本発明は、ハードディスクを固定する過程において追加の工具を用いる必要がなく、ハードディスクの組立効率を向上させた、ねじなしでロックする方法を提供するハードディスク固定装置を提供する。
【００２１】
本発明のハードディスク固定装置の一実施例の分解図である図１を参照する。ハードディスク固定装置１００は、ハードディスクトレイ１１０と、ハードディスクブラケット１３０と、ハードディスクカバー１５０と、を具備するハードディスク２００を固定するためのものである。ハードディスクブラケット１３０は、ハードディスクトレイ１１０に配置され、ハードディスクカバー１５０は、ハードディスクトレイ１１０に枢接されている。ハードディスク２００は、ハードディスクブラケット１３０内に配置されることができる。ハードディスクカバー１５０がハードディスクトレイ１１０に対して回転する場合、ハードディスクブラケット１３０とその内のハードディスク２００をハードディスクカバー１５０とハードディスクトレイ１１０との間に固定することができる。
【００２２】
ハードディスクトレイ１１０は、地板１１２と、地板１１２の両側に直立している２つの側壁１１４と、地板１１２に設けられた２つの支え壁１１６と、を備える。支え壁１１６と側壁１１４との間に、ハードディスクブラケット１３０を配置するための収納空間がそれぞれ形成されている。ハードディスクトレイ１１０は、側壁１１４に向かって突出するように支え壁１１６に設けられた、複数のラグ１２０を更に備える。
【００２３】
ハードディスクブラケット１３０は、ハードディスクトレイ１１０の中に配置されており、略「匚」（コ）字形の構造となっている。ハードディスクブラケット１３０は、ブラケット本体１３２と、ブラケット本体１３２に設けられた複数のノッチ１３４と、ブラケット本体１３２に設けられた２つの凸柱１３６と、を備える。
【００２４】
ブラケット本体１３２は、第１セクション１４０と、それぞれ第１セクション１４０の両側から折れ曲がった２つの第２セクション１４２と、を含む。第１セクション１４０及び２つの第２セクション１４２は、共に「匚」（コ）字形の構造を構成している。ブラケット本体１３２は、板金部材を折り畳むことで作製してもよい。
【００２５】
ノッチ１３４は、第２セクション１４２に設けられた細長い開口であり、その軸方向がハードディスクトレイ１１０の地板１１２にほぼ平行である。ハードディスクブラケット１３０を組み立てる場合、ノッチ１３４は、ハードディスクトレイ１１０上のラグ１２０と結合して、ハードディスクブラケット１３０をハードディスクトレイ１１０に位置決めするようにする。
【００２６】
凸柱１３６は、円柱形状であってよく、２つの凸柱１３６が、それぞれ２つの第２セクション１４２に設けられている。凸柱１３６は、第２セクション１４２の外表面に設けられている。ハードディスクブラケット１３０をハードディスクトレイ１１０に設けると、凸柱１３６は、側壁１１４に向かうように、側壁１１４と支え壁１１６との間の収納空間の中に位置する。
【００２７】
ハードディスクカバー１５０は、フレーム形状の構造をしており、接続機構によってハードディスクトレイ１１０に枢接されてよい。例としては、接続機構は、ハードディスクトレイ１１０の側壁１１４に設けられた回転軸部１６０、及びハードディスクカバー１５０に設けられた開口部１６２を含み、回転軸部１６０が開口部１６２の中で回転することによって、ハードディスクカバー１５０をハードディスクトレイ１１０に枢接する目的を実現することができる。回転軸部１６０は、開口部１６２から容易に離れないように、その一端の外径が開口部１６２の内径より大きいことが好ましい。
【００２８】
ハードディスクカバー１５０は、それぞれハードディスクカバー１５０の対向する２つの側縁に設けられた２つの凸リブ１５２を備える。凸リブ１５２は、凸柱１３６に対応する位置に設けられており、それぞれ、凸柱１３６に接触して動かして、ハードディスクブラケット１３０をノッチ１３４に沿ってハードディスクトレイ１１０に対して摺動させるようにするための曲面１５４を有する。
【００２９】
図１におけるハードディスク固定装置１００の適用時の操作を示す模式図である図２を参照する。注意すべきなのは、図１において、複数のハードディスクトレイ１１０のそれぞれには、何れも前後に設けられたハードディスク２００が配置されているが、以下の図面において、説明を容易にするために、単に単一のハードディスク２００の固定構造で例示して説明する。当業者であれば、異なる設計需要に応じて、ハードディスク固定装置１００におけるハードディスクトレイ１１０及びハードディスク２００の数量関係、ハードディスク２００の配列構造を変更することができるが、本発明は実施例に限定されない。
【００３０】
ハードディスク固定装置１００は、ハードディスクトレイ１１０と、ハードディスクトレイ１１０に設けられたハードディスクブラケット１３０と、ハードディスクトレイ１１０に枢接されているハードディスクカバー１５０と、を具備する。ハードディスクブラケット１３０は、ハードディスクトレイ１１０とハードディスクカバー１５０との間に位置している。
【００３１】
ハードディスク２００を組み立てようとする場合、先にハードディスクカバー１５０を開け、ハードディスクブラケット１３０を露出させた後、ハードディスク２００をハードディスクブラケット１３０の中に入れ、次に、ハードディスクカバー１５０を下へ押して、ハードディスクカバー１５０上の凸リブ１５２をハードディスクブラケット１３０上の凸柱１３６（図１参照）に接触させて、ハードディスクブラケット１３０とその内のハードディスク２００を動かして、ハードディスクトレイ１１０に対して位置決めされるまで摺動させる。
【００３２】
次に、それぞれ本発明の一実施例におけるハードディスクブラケット１３０の摺動時の異なる段階の側面図を示す図３及び図４を参照されたい。なお、図３及び図４において、説明を容易にするために、ハードディスクトレイ１１０の支え壁及び側壁は隠れている。まず、図３を図１に合わせて参照する。ハードディスク２００がハードディスクブラケット１３０に配置された後、ハードディスクカバー１５０は、続いて、ハードディスクトレイ１１０に対して枢転するように下へ押され、本実施例の場合には、図面における反時計回りの方向に沿って回転する。ハードディスクカバー１５０がプリセットされた位置まで移動すると、凸リブ１５２は、支え壁１１６と側壁１１４（図１参照）との間の空間に伸びて、ハードディスクブラケット１３０の外表面上の凸柱１３６に接触する。
【００３３】
その後、ハードディスクカバー１５０が続けて下へ押され、凸リブ１５２が連動されて下へ移動する。この場合、凸リブ１５２上の曲面１５４によって、凸リブ１５２に接触する凸柱１３６が、曲面１５４に沿って移動するようになり、例えば、図面における右方へ移動し、更にハードディスクブラケット１３０及びハードディスクブラケット１３０内に位置しているハードディスク２００が連動されて、ハードディスクカバー１５０が下へ押されると同時に右へ移動するようになる。
【００３４】
ハードディスクブラケット１３０とその内に位置しているハードディスク２００は、ノッチ１３４に沿ってハードディスクトレイ１１０に対して移動する。ハードディスクブラケット１３０が移動する場合、ノッチ１３４とラグ１２０との間の相対位置も、これに伴って変化する。例えば、ラグ１２０は、ハードディスクブラケット１３０を位置決めしやすくするために、ノッチ１３４の一端から他端まで移動する。
【００３５】
次に、引き続き、図３及び図４を参照する。ハードディスク２００は、コネクタ（ｃｏｎｎｅｃｔｏｒ）によって他の周辺の電子素子と電気的に接続されることができる。本実施例において、ハードディスクトレイ１１０に第１コネクタ１９０が配置されており、ハードディスク２００にも、対応する第２コネクタ２１０がある。ハードディスクブラケット１３０がその内のハードディスク２００を連動して、位置決めするまで右へ移動させた場合、ハードディスク２００上の第２コネクタ２１０も、ハードディスクトレイ１１０上の第１コネクタ１９０と係合する。
【００３６】
再度、図１を参照すると、ハードディスクブラケット１３０においては、ハードディスク２００上の第２コネクタ２１０とハードディスクトレイ１１０上の第１コネクタ１９０とが、接触時の跳ね返る力によって係合に失敗することなく、スムーズに係合することを可能にするために、２つの位置決めピン１３８を更に備える。位置決めピン１３８は、それぞれ第２セクション１４２における第１セクション１４０に近接する個所に設けられ、ハードディスク２００をハードディスクブラケット１３０の中に位置決めするために用いられる。
【００３７】
より具体的には、位置決めピン１３８は、第２コネクタ２１０と第１コネクタ１９０との係合時に、ハードディスク２００を支えて、ハードディスク２００が力を受けて後退しないようにし、更に第２コネクタ２１０が第１コネクタ１９０とスムーズに係合できるように確保することに用いることができる。
【００３８】
引き続き、図１を参照する。ハードディスク固定装置１００においては、ハードディスクカバー１５０をハードディスクブラケット１３０に固定させて、ハードディスクブラケット１３０におけるハードディスク２００を確実に固定する目的を達することができるようにするために、ハードディスクカバー１５０をハードディスクブラケット１３０に固定するための係合構造を更に具備する。係合構造は、ハードディスクブラケット１３０の第１セクション１４０に設けられた開口１７０と、ハードディスクカバー１５０に設けられた弾性ラッチ１７２と、を備える。ハードディスクカバー１５０が位置決めするまで回転してハードディスクブラケット１３０に接触した場合、使用者により、弾性ラッチ１７２を引き開けて、開口１７０に差し込んで、更にハードディスクカバー１５０をハードディスクブラケット１３０に固定してもよい。
【００３９】
より具体的には、第１セクション１４０は、凹部１４４を含有し、開口１７０は、凹部１４４に設けられている。ハードディスクカバー１５０は、凹部１４４に対応する嵌合面１５６を備え、弾性ラッチ１７２は、嵌合面１５６に弾性的に接続されている。
【００４０】
図５を図１に合わせて参照されたい。図５は、本発明のハードディスク固定装置１００の弾性ラッチ１７２での断面模式図である。弾性ラッチ１７２は、ラッチ部１７３、及びラッチ部１７３とハードディスクカバー１５０を接続するばね１７４を含む。ハードディスクカバー１５０が位置決めするまで移動した後、使用者により、ラッチ部１７３を引っ張って、外へ移動させて、ハードディスクカバー１５０の嵌合面１５６をハードディスクブラケット１３０の凹部１４４と嵌合させた後、更にラッチ部１７３を放して、ばね１７４による弾力で引っ込めさせて開口１７０と係合させてよい。このように、ハードディスクカバー１５０をハードディスクブラケット１３０に固定することができる。
【００４１】
ハードディスク２００を取り出しようとする場合、上記のステップを逆にして操作するだけでよい。再びラッチ部１７３を引き出して、開口１７０から離れさせ、次に、更にハードディスクカバー１５０を図面における時計回り方向に沿って回転させると、ハードディスクカバー１５０が開けられ、これにより、ハードディスクカバー１５０とハードディスクトレイ１１０との間に位置しているハードディスク２００を取り出すことができる。
【００４２】
しかしながら、使用者がハードディスク２００を取り出しやすくするために、ハードディスク２００を取り出す前に、ハードディスク２００の第２コネクタ２１０とハードディスクトレイ１１０上の第１コネクタ１９０との接続状態を解除する必要がある。従って、ハードディスク固定装置１００には、第１コネクタ１９０と第２コネクタ２１０との接続状態を解除し、ハードディスクブラケット１３０を押し出すための設計を更に含む。
【００４３】
続けて、図１を参照されたい。ハードディスクカバー１５０の凸リブ１５２は、凸縁１５５を含む。凸縁１５５は、曲面１５４におけるハードディスクカバー１５０とハードディスクトレイ１１０が枢接する個所（即ち、接続機構）に近接する一端に設けられている。ハードディスクカバー１５０が回転して開けられる場合、凸縁１５５は、凸柱１３６に接触し、ハードディスクカバー１５０の回転につれて、続けて凸柱１３６を押し上げることで、ハードディスク２００及びハードディスクブラケット１３０を外へ少しだけ押し上げて、更に第１コネクタ１９０と第２コネクタ２１０との間の接続状態を解除することができる。
【００４４】
図１と図６をともに参照されたい。図６は、本発明のハードディスク固定装置１００が開けられた場合の別の視角からの側面図である。同様に、図６において、ハードディスクトレイ１１０の支え壁及び側壁も隠れている。ラッチ部１７３は、先に引き開けられて、開口１７０から離れ、次に、更にハードディスクカバー１５０を図面における反時計回り方向に沿って回転させると、ハードディスクカバー１５０が開けられ、これにより、ハードディスクカバー１５０とハードディスクトレイ１１０との間に位置しているハードディスク２００を取り出すことができる。
【００４５】
使用者がハードディスク２００を更に取り出しやすくするために、ハードディスク固定装置１００には、ハードディスクカバー１５０の内表面に設けられた、ハードディスクカバー１５０とハードディスクトレイ１１０が枢接する個所（即ち、接続機構）に近接する複数のプッシュロッド１８０を更に具備する。プッシュロッド１８０は、ハードディスクカバー１５０を動かすと同時に、ハードディスク２００及びハードディスクブラケット１３０を更に動かして、ハードディスクブラケット１３０とその内のハードディスク２００を再びノッチ１３４の方向に沿ってハードディスクトレイ１１０に対して摺動させて、枢接する個所から離間させて、使用者がハードディスクカバー１５０を開けた後、ハードディスクブラケット１３０におけるハードディスク２００を取り出しやすくすることができる。
【００４６】
上記をまとめると、本発明に係るハードディスク固定装置により、追加の組立工具を使用する必要がなく、ハードディスクトレイに枢接されたハードディスクカバーを開ける又は閉めるだけで、ハードディスクを露出させ又は位置決めすることができ、組立の効率及び利便性を効果的に向上させた、ねじなしでロック可能なハードディスクの固定構造及び方法を提供することができる。
【００４７】
本発明を実施例で前述の通り開示したが、これは本発明を限定するものではなく、当業者であれば、本発明の精神と範囲から逸脱しない限り、多様の変更や修正を加えることができる。従って、本発明の保護範囲は、特許請求の範囲で指定した内容を基準とする。
【符号の説明】
【００４８】
１００  ハードディスク固定装置
１１０  ハードディスクトレイ
１１２  地板
１１４  側壁
１１６  支え壁
１２０  ラグ
１３０  ハードディスクブラケット
１３２  ブラケット本体
１３４  ノッチ
１３６  凸柱
１３８  位置決めピン
１４０  第１セクション
１４２  第２セクション
１４４  凹部
１５０  ハードディスクカバー
１５２  凸リブ
１５４  曲面
１５５  凸縁
１５６  嵌合面
１６０  回転軸部
１６２  開口部
１７０  開口
１７２  弾性ラッチ
１７３  ラッチ部
１７４  ばね
１８０  プッシュロッド
１９０  第１コネクタ
２００  ハードディスク２１０  第２コネクタ